(57)【要約】      （修正有）【課題】電子機器は、メーカーや機種によって形状が異なり、付属する卓上充電台や電源アダプターケーブルとケーブル接続位置なども異なる。これらの電子機器をケース内に見栄えよく収納し、且つまたカバーの開閉操作が簡単で、電子機器と卓上充電台を共に防塵できるケースを提供する。【解決手段】卓上充電台を置きケースの台となる第２の部材上面Ｋに、中央部は広く、それに隣接する横Ｍ及び後方向Ｎに配線を通し、ケースの外まで取り出せるケーブル溝Ｄと、四辺の枠部に第１の部材をのせる段差Ｊを設ける。【選択図】図６
0003158821.tif 000002
【実用新案登録請求の範囲】
【請求項１】
本考案は、卓上充電台を置きケースの台となる第２の部材上面（Ｋ）に、中央部（Ｏ）は広く、それに隣接する横（Ｍ）及び後方向（Ｎ）に配線を通し、ケースの外まで取り出せるケーブル溝（Ｄ）と、四辺の枠部に第１の部材をのせる段差（Ｊ）を設けた、電子機器の充電又は保管時の防塵ケース。
【考案の詳細な説明】
【技術分野】
【０００１】
本考案は、デジタルカメラや携帯電話の電子機器（以下、これを電子機器と呼ぶ）を付属する卓上充電台に載せたまま防塵できるケースに関するものである。
【背景技術】
【０００２】
電子機器は、専用の卓上充電台で充電または保管されることが多く、その際、精密機器である電子機器本体に埃が付着し、液晶画面やレンズまで汚れ、レンズ部に至っては故障を引き起こす要因にも繋がり、電子機器を持ち出して使用している際には、放置された卓上充電台内部の端子に、埃が溜まり接触不良が起こりやすくなる。
【０００３】
従来、この種の電子機器内部に埃が進入しない技術や、卓上充電台に蓋を設け電子機器本体を持ち出している時に卓上充電台内部を防塵する機能や、電子機器本体を持ち歩いている時の防塵カバーは考えられていたが、卓上充電台に電子機器を載せたままカバーで覆い、電子機器や卓上充電台を防塵できるものが無かった。
【考案の概要】
【考案が解決しようとする課題】
【０００４】
電子機器は、メーカーや機種によって形状が異なり、付属する卓上充電台や電源アダプターケーブルとケーブル接続位置なども異なるが、その電子機器をケース内に見栄えよく収納し、且つまたカバーの開閉操作が簡単で、電子機器と卓上充電台を共に防塵できるケースを考えることを課題とする。
【課題を解決するための手段】
【０００５】
本考案は、卓上充電台を置きケースの台となる第２の部材上面（Ｋ）に、中央部（Ｏ）は広く、それに隣接する横（Ｍ）及び後方向（Ｎ）に配線を通し、ケースの外まで取り出せるケーブル溝（Ｄ）と、四辺の枠部に第１の部材をのせる段差（Ｊ）を設けることで解決した。
【考案の効果】
【０００６】
第２の部材に加工した、横方向（Ｍ）及び後方向（Ｎ）のケーブル溝（Ｄ）に配線を通せることで、メーカーや機種によって異なる形状及び接続位置の卓上充電台であっても、配線の上から、第２の部材上面（Ｋ）に卓上充電台を設置することが可能となり（図６・図８・図１０参照）、配線の固定が最小限ですみ、配線が見栄え良く収納できるようになった。
【０００７】
第２の部材に加工した広めの中央部（Ｏ）ケーブル溝（Ｄ）は、配線の方向転換が安易となり、ケーブル溝（Ｄ）を経由した配線は、横（Ｍ）及び後（Ｎ）の自由な方向に配線取り出し位置（Ｉ）からケース外に取り出すことができ、ケースを縦横自在に置くことができるようになった。
【０００８】
また、ケーブル溝（Ｄ）や、配線取り出し位置（Ｉ）の加工を第２の部材に集中させたことで、第１の部材は加工をしない、かぶせるだけのケースとなり、電子機器の取り出し又は充電をする際には、卓上充電台や配線に触れず、第１の部材を持ち上げて電子機器を出し入れするだけの開閉操作となり、密閉性も高められた。
【０００９】
電子機器を持ち出して使用している時でも、卓上充電台及びケース内部が防塵されており、常に電子機器はケース内において、埃を付着させないことができる。
【図面の簡単な説明】
【００１０】
【図１】図１はカバーケース全体の斜視図である。
【図２】図２はカバーケースのベース部上面図である。
【図３】図３はカバーケースの側面から見たａからａ´の断面図である。
【図４】図４はカバーケースの正面から見たｂからｂ´の断面図である。
【図５】図５は電子機器の電源アダプターケーブル参考図である。
【図６】図６はデジタルカメラと卓上充電台をベース部に設置した例の上面図である。
【図７】図７はデジタルカメラと卓上充電台をベース部に設置した例の側面図である。
【図８】図８は横型充電台と携帯電話をベース部に設置した例の上面図である。
【図９】図９は横型充電台と携帯電話をベース部に設置した例の側面図である。
【図１０】図１０は平置充電台と携帯電話をベース部に設置した例の上面図である。
【図１１】図１１は平置充電台と携帯電話をベース部に設置した例の正面図である。
【図１２】図１２はケーブル溝が無いケースを想定したカバー正面図である。
【図１３】図１３はケーブル溝が無いケースにデジタルカメラの卓上充電台を設置した            場合の側面図である。
【図１４】図１４はケーブル溝が無いケースにデジタルカメラの卓上充電台を設置した            場合の上面図である。
【図１５】図１４はケーブル溝が無いケースに平置き携帯電話の卓上充電台を設置した            場合の上面図である。
【考案を実施するための形態】
【００１１】
第１の部材は、透明のポリスチレン樹脂やスチロール樹脂原料の成型加工により製作し、形状は図１を基本とするが、丸型やドーム型など、電子機器の新機種に合わせた形状に変更する場合や、前面部や上面部だけを開放するケースカバーに、デザイン変更する場合もある。
【００１２】
第２の部材は、黒色のポリスチレン樹脂やスチロール樹脂を原料とし、ケーブル溝（Ｅ）を配慮した成型加工により製作するが、第１の部材の形状変更に伴った形状に変更する場合や、原料の色を変更する場合もある。
【実施例１】
【００１３】
デジタルカメラの電源コネクターケーブル形状（２）は、携帯電話の電源コネクターケーブル形状（５）と異なり、電圧変換の為の突起部（１１）や、コネクター（１）などの長さが長いため、ケース内への収納が困難な場合があるが、その設置例として、考案の防塵ケースに設置したところを、上面から見た図が（図４）であり側面から見た図が（図５）となる。
【００１４】
ケーブル溝が無い防塵ケースを想定して、デジタルカメラと卓上充電台を設置した、例となる側面図が図１３であるが、側面からでは配線位置が見えないため、上面から見た図が図１４となり、配線が露出して見栄えが良くないことが解り、配線を効率良く納めようとすると交差する点（Ｐ）ができてしまい、交差させないようにすると、配線を複雑に這わせ固定する必要が出てくる。
【００１５】
携帯電話の場合は、横置き・平置きや縦置きなど様々な卓上充電台の種類があるが、一般的な横置き携帯電話の卓上充電台を、考案の防塵ケース内に設置したところを上から見た図が（図６）であり、側面から見た図が（図７）となる。
【００１６】
また、設置面積が一番必要と思われる平置き卓上充電器の携帯電話を、考案の防塵ケース内に設置したところを上から見た図が（図８）であり、前面から見た図が（図９）となる。
【００１７】
図１５は、ケーブル溝が無い防塵ケースを想定して、設置面積が一番必要と思われる平置き携帯電話と卓上充電台を設置した例であるが、裏方向（Ｎ）に配線を出すと、配線が露出し配線を固定するテープにより見栄えが良くないことが解り、横方向（Ｍ）配線を出す場合には、カバー部にもう一つ配線用の穴が必要となり、ケーブル溝が無い防塵ケースを使用した場合には、カバーを掛ける時に、カバーが配線に載らないように注意する必要がある。
【符号の説明】
【００１８】
Ａ  カバーケース全体
Ｂ  カバー部（第１の部材）
Ｃ  ベース部（第２の部材）
Ｄ  ケーブル溝
Ｅ  長さ省略
Ｆ  両面テープ
Ｇ  両面テープ貼付け予定位置
Ｈ  テープ
Ｉ  配線取り出し位置
Ｊ  段差
Ｋ  カバー部上面
Ｌ  前方向
Ｍ  横方向
Ｎ  後方向
Ｏ  中央部
Ｐ  配線交差点
ａ  断面開始点
ａ´  断面終了点
ｂ  断面開始点
ｂ´  断面終了点
【００１９】
１  デジタルカメラ電源アダプターケーブルコネクター部
２  デジタルカメラ電源アダプターケーブル
３  デジタルカメラ電源アダプターケーブルコンセント部
４  携帯電話電源アダプターケーブルコネクター部
５  携帯電話電源アダプターケーブル
６  携帯電話電源アダプターケーブルコンセント部
７  デジタルカメラ本体
８  デジタルカメラ卓上充電台
９  携帯電話本体
１０  携帯電話卓上充電台
１１  デジタルカメラ電源アダプターケーブル電圧変換突起部
【図１】
0003158821.tif 000003
【図２】
0003158821.tif 000004
【図３】
0003158821.tif 000005
【図４】
0003158821.tif 000006
【図５】
0003158821.tif 000007
【図６】
0003158821.tif 000008
【図７】
0003158821.tif 000009
【図８】
0003158821.tif 000010
【図９】
0003158821.tif 000011
【図１０】
0003158821.tif 000012
【図１１】
0003158821.tif 000013
【図１２】
0003158821.tif 000014
【図１３】
0003158821.tif 000015
【図１４】
0003158821.tif 000016
【図１５】
0003158821.tif 000017
【手続補正書】
【提出日】平成22年2月1日(2010.2.1)
【手続補正１】
【補正対象書類名】実用新案登録請求の範囲
【補正対象項目名】全文
【補正方法】変更
【補正の内容】
【実用新案登録請求の範囲】
【請求項１】
卓上充電台を置きケースの台となる第２の部材上面（Ｋ）に、中央部（Ｏ）は広く、それに隣接する横（Ｍ）及び後方向（Ｎ）に配線を通し、ケースの外まで取り出せるケーブル溝（Ｄ）と、四辺の枠部に第１の部材をのせる段差（Ｊ）を設けた、電子機器の充電又は保管時の防塵ケース。